(57)【要約】【課題】バンドによって結束される梱包装置において、外部から荷重を受けた際における損傷および変形がより少ない梱包装置を提供する。【解決手段】梱包装置は、段ボールシートで形成された外箱２と、外箱２によって囲われた被梱包物１の上面に設けられる緩衝材３と、緩衝材３の上面に被せられるカバー４と、外箱２の側面とカバー４の上面とに接触し、被梱包物１と外箱２と緩衝材３とカバー４とを結束するバンド５と、を備える。バンド５は、外箱２の側面からカバー４の上面にかけて、外箱２の上縁の一部を跨いで掛けられ、外箱２の当該一部には、切り込み７が形成されている。【選択図】図２
2019156412.tif 000002
【特許請求の範囲】
【請求項１】
段ボールシートで形成された、被梱包物の前後左右を囲う上下に沿った胴枠と、
前記胴枠によって囲われた前記被梱包物の上面に設けられる緩衝材と、
前記緩衝材の上面に被せられるカバーと、
前記胴枠の側面と前記カバーの上面とに接触し、前記被梱包物と前記胴枠と前記緩衝材と前記カバーとを結束するバンドと、
を備え、
前記バンドは、前記胴枠の側面から前記カバーの上面にかけて、前記胴枠の上縁の一部を跨いで掛けられ、
前記胴枠の前記一部には、切り込みが形成されている梱包装置。
【請求項２】
前記切り込みは、下方から上方に広がる台形状の楔形であり、
前記切り込みの上端の幅は、前記バンドの幅よりも大きい請求項１に記載の梱包装置。
【請求項３】
前記胴枠には、内側へ折り込まれる折り曲げ片が前記切り込みによって形成されており、
前記折り曲げ片の表面は、前記バンドと接触している請求項１に記載の梱包装置。
【請求項４】
前記緩衝材には、前記バンドと接触する斜面が形成されている請求項１または請求項２に記載の梱包装置。
【請求項５】
前記緩衝材には、前記折り曲げ片と接触する斜面が形成されている請求項３に記載の梱包装置。
【発明の詳細な説明】
【技術分野】
【０００１】
本発明は、梱包装置に関するものである。
【背景技術】
【０００２】
特許文献１に、梱包装置が記載されている。特許文献１に記載された梱包装置は、筒状に形成された外箱と、この外箱に囲われた被梱包物の両端を覆う緩衝材とで構成される。
【先行技術文献】
【特許文献】
【０００３】
【特許文献１】特開２００３−２２６３９２号公報
【発明の概要】
【発明が解決しようとする課題】
【０００４】
特許文献１に記載された梱包装置において、外箱と緩衝材とは、段ボール箱の外周に掛けられたバンドによって結束される。このバンドは、筒状の外箱の端部に食い込む。被梱包物を梱包した梱包装置は、例えばトラックによる輸送あるいは積み下ろし等の物流時に、繰り返しの振動および衝撃荷重等を受ける場合がある。特許文献１に記載された梱包装置は、外部から荷重を受けると、バンドによって外箱の端部が大きく潰れてしまう。
【０００５】
本発明は、上記のような課題を解決するためになされたものである。本発明の目的は、バンドによって結束される梱包装置において、外部から荷重を受けた際における損傷および変形がより少ない梱包装置を提供することである。
【課題を解決するための手段】
【０００６】
本発明に係る梱包装置は、段ボールシートで形成された、被梱包物の前後左右を囲う上下に沿った筒状の胴枠と、胴枠によって囲われた被梱包物の上面に設けられる緩衝材と、緩衝材の上面に被せられるカバーと、胴枠の側面とカバーの上面とに接触し、被梱包物と胴枠と緩衝材とカバーとを結束するバンドと、を備える。バンドは、胴枠の側面からカバーの上面にかけて、胴枠の上縁の一部を跨いで掛けられ、胴枠の当該一部には、切り込みが形成されている。
【発明の効果】
【０００７】
本発明によれば、バンドによって結束される梱包装置において、外部から荷重を受けた際における損傷および変形がより少ない梱包装置を得ることができる。
【図面の簡単な説明】
【０００８】
【図１】実施の形態１の梱包装置および被梱包物の分解斜視図である。
【図２】実施の形態１の梱包装置によって被梱包物が梱包された状態を示す斜視図。
【図３】実施の形態１の外箱の上部の拡大図である。
【図４】実施の形態１の梱包装置によって被梱包物が梱包された状態を示す断面図である。
【図５】実施の形態２の梱包装置および被梱包物の分解斜視図である。
【図６】実施の形態２の梱包装置によって被梱包物が梱包された状態を示す斜視図である。
【図７】実施の形態２の外箱の上部の拡大図である。
【図８】実施の形態２の梱包装置によって被梱包物が梱包された状態を示す断面図である。
【図９】実施の形態３の梱包装置および被梱包物の分解斜視図である。
【図１０】実施の形態３の梱包装置によって被梱包物が梱包された状態を示す斜視図である。
【図１１】実施の形態３の緩衝材の拡大図である。
【発明を実施するための形態】
【０００９】
以下、図面を参照して、実施の形態について説明する。各図における同一の符号は、同一の部分または相当する部分を示す。本開示では、重複する説明については、適宜に簡略化または省略する。なお、本発明は、以下の各実施の形態のあらゆる組み合わせを含み得るものである。
【００１０】
実施の形態１．
図１は、実施の形態１の梱包装置および被梱包物１の分解斜視図である。本実施の形態の梱包装置は、被梱包物１を梱包するためのものである。被梱包物１は、例えば、上下に細長い製品である。図２は、実施の形態１の梱包装置によって被梱包物１が梱包された状態を示す斜視図。
【００１１】
本実施の形態の梱包装置は、外箱２、緩衝材３、カバー４およびバンド５を備える。図３は、実施の形態１の外箱２の上縁の拡大図である。また、図４は、実施の形態１の梱包装置によって被梱包物１が梱包された状態を示す断面図である。図４は、外箱２、緩衝材３、カバー４およびバンド５を全て通る断面を示している。
【００１２】
外箱２は、被梱包物１の外周を囲う部材である。外箱２は、筒状の部材である。外箱２の外形は、例えば、四角柱状である。筒状の外箱２は、段ボールシートで形成される。外箱２を形成する段ボールシートの厚みは、例えば、５ｍｍ程度である。
【００１３】
本実施の形態の梱包装置が被梱包物１を梱包する際、外箱２は、上下に沿って設けられる。外箱２の上下方向寸法は、被梱包物１の上下方向寸法よりも大きい。また、外箱２の左右方向寸法および前後方向寸法は、それぞれ、被梱包物１の左右方向寸法および前後方向寸法よりも大きい。
【００１４】
緩衝材３は、被梱包物１を衝撃等から保護するための部材である。緩衝材３は、被梱包物の上面に設けられる。一例として、本実施の形態の梱包装置は、２つの緩衝材３を備える。なお、緩衝材３の数量は、本例に限定されない。緩衝材３は、例えば、発泡スチロール等の樹脂または紙によって形成される。緩衝材３は、ゴム等の弾性体から形成されてもよい。また、緩衝材３は、硬質のものであってもよい。
【００１５】
カバー４は、被梱包物１を上方から覆う部材である。カバー４は、板状の部材である。カバー４は、例えば、段ボールシートによって形成される。本実施の形態の梱包装置が被梱包物１を梱包する際、板状のカバー４は、水平方向に沿うように設けられる。なお、カバー４は、蓋状または皿状の部材であってもよい。カバー４は、段ボールシートではない材料から形成されてもよい。カバー４を形成する材料は、外箱２を形成する材料と異なっていてもよい。
【００１６】
バンド５は、被梱包物１と外箱２と緩衝材３とカバー４とを結束する部材である。バンド５は、紐状または帯状の部材である。被梱包物１を覆っている外箱２と緩衝材３とカバー４とに掛けられる。
【００１７】
外箱２、緩衝材３、カバー４およびバンド５から構成される梱包装置によって被梱包物１を梱包する手順と当該梱包装置の機能について説明する。
【００１８】
被梱包物１は、上下に沿って設けられる。被梱包物１は、例えば、下部に脚部を有する製品である。脚部を有する製品には、例えば、貯湯式給湯機を構成する貯湯タンクユニット等が該当する。被梱包物１の脚部には、例えば、木製のスキッドがボルト等で固定される。一例として、このスキッドと被梱包物１との間には、段ボールシート等から形成された支持部６が挿入される。支持部６は、被梱包物１を安定した状態で保持するためのものである。また、支持部６は、外部からの衝撃等が被梱包物１に伝わることを抑制する。
【００１９】
支持部６が挿入された後、筒状の外箱２が、被梱包物１に被せられる。外箱２は、被梱包物１の側面の外周を囲うように設けられる。外箱２が被梱包物１に被せられた後、緩衝材３が被梱包物１の上面に設けられる。一例として、２つの緩衝材３は、被梱包物１の上部の右側の角と左側の角とをそれぞれ覆うように、被梱包物１と外箱２との間に嵌め込まれる。
【００２０】
緩衝材３が嵌め込まれた後、カバー４が当該緩衝材３の上面に被せられる。一例として、カバー４の前部および後部は、外箱２の内側に挿し込まれる。カバー４の上面の高さは、外箱２の上縁の高さと同程度である。
【００２１】
本実施の形態において、カバー４の右端は、図２に示すように、筒状の外箱２の上縁の右端よりも左側に位置している。カバー４の右端は、被梱包物１の上部の右側の角に設けられた緩衝材３の右端よりも左側に位置している。同様に、カバー４の左端は、筒状の外箱２の上縁の左端よりも右側に位置している。カバー４の左端は、被梱包物１の上部の左側の角に設けられた緩衝材３の左端よりも右側に位置している。
【００２２】
カバー４が被せられた後、バンド５が掛けられる。本実施の形態の梱包装置は、一例として、２つのバンド５を備える。なお、バンド５の数は本例に限られず、任意であってよい。バンド５は、外箱２とカバー４とを外側から囲うように掛けられる。２つのバンド５の一方は、外箱２の側面の前部およびカバー４の上面の前部を囲うように設けられる。２つのバンド５の他方は、外箱２の側面の後部およびカバー４の上面の後部を囲うように設けられる。
【００２３】
バンド５が掛けられることにより、被梱包物１と外箱２と緩衝材３とカバー４とが、図２および図４に示すように結束される。バンド５は、外箱２の側面とカバー４の上面とに接触する。バンド５は、外箱２に対し、当該外箱２の側面との間の摩擦によって保持される。また、バンド５は、カバー４に対し、当該カバー４の上面との間の摩擦によって保持される。
【００２４】
バンド５は、外箱２の側面からカバー４の上面にかけて、当該外箱２の上縁の一部を跨いで掛けられている。本実施の形態では、図１から図４に示すように、外箱２の上縁の上記の一部に、切り込み７が形成されている。切り込み７の数量は、バンド５が掛けられる位置と当該バンド５の数とに応じて設定される。
【００２５】
一例として、本実施の形態では、４つの切り込み７が形成される。４つの切り込み７は、それぞれ、外箱２の上縁の右側前部、外箱２の上縁の右側後部、外箱２の上縁の左側前部、外箱２の上縁の左側後部、に形成される。外箱２の上縁の右側前部と外箱２の上縁の左側前部とは対向する。外箱２の上縁の右側後部と外箱２の上縁の左側後部とは対向する。２つのバンド５の一方は、外箱２の上縁の右側前部と外箱２の上縁の左側前部とに跨るように掛けられる。２つのバンド５の他方は、外箱２の上縁の右側後部と外箱２の上縁の左側後部とに跨るように掛けられる。
【００２６】
図３に示すように、本実施の形態の切り込み７の形状は、台形状の楔形である。外箱２の上縁には、切り込み７によって段差が形成されている。切り込み７は、下方から上方に向かって広がるように形成されている。この段差の高さ、すなわち楔形の切り込み７の上下方向寸法ｈは、例えば、１０ｍｍから２０ｍｍ程度である。また、一例として、切り込み７の上端の幅は、バンド５の幅よりも大きい。切り込み７の下端の幅は、一例として、バンド５の幅と同程度またはバンド５の幅以上である。バンド５は、切り込み７の下端の箇所、すなわち外箱２の上縁に形成された段差の底部を覆っている。
【００２７】
図４に示すように、バンド５には、外箱２の側面に接触して上下に沿った部分と、カバー４の上面に接触して左右に沿った部分と、が含まれる。さらに、バンド５には、上下に沿った部分と左右に沿った部分とを繋ぐ、斜め方向に沿った部分が含まれる。本実施の形態においては、切り込み７が形成されることで、図４に示すように、バンド５が外箱２の上縁に強く食い込むことがない。本実施の形態であれば、梱包装置が外部から荷重を受けた際にバンド５が外箱２を損傷または変形させてしまう領域がより少なくなる。なお、切り込み７は、外箱２下縁にも形成されてよい。
【００２８】
本実施の形態であれば、バンド５が外箱２を損傷または変形させてしまう領域がより少なくなるため、例えば、バンド５が掛けられる際に、被梱包物１と外箱２と緩衝材３とカバー４とをより強く結束するために当該バンド５により強い過重を掛けることができる。また、バンド５が外箱２を損傷または変形させてしまう領域がより少なくことで、当該バンド５が緩んでしまうことも防止される。バンド５の緩みが防止されることで、外箱２がずり下がることが防止される。
【００２９】
なお、緩衝材３の角は、図４に示すように、バンド５と接触していてもよい。バンド５が緩衝材３に食い込むことで、バンド５がより強く保持される。また、バンド５と緩衝材３とは、離れていても良い。バンド５と緩衝材３とが離れている場合、梱包装置が外部から荷重を受けた際にバンド５によって緩衝材３が変形してしまうことが抑制される。これにより、バンド５の緩みが防止される。
【００３０】
本実施の形態における切り込み７は、下方から上方に広がる台形状の楔形である。切り込み７の上端の幅は、バンド５の幅よりも大きい。このため、バンド５、切り込み７が形成されている箇所で外箱２に食い込むことなく容易に掛けられる。
【００３１】
なお、切り込み７の形状は、下方から上方に広がる台形状の楔形に限られず、任意の形状でよい。切り込み７の形状は、例えば、三角形、正方形、長方形、五角形以上の多角形等であってもよい。また、切り込み７の形状は、半円形状などの、曲線からなる形状であってもよい。切り込み７の形状は、直線と曲線との組み合わせからなる形状であってもよい。
【００３２】
実施の形態２．
次に、実施の形態２について説明する。実施の形態１と同一または相当する部分については、同じ符号を付し、また、説明を簡略化および省略する。図５は、実施の形態２の梱包装置および被梱包物１の分解斜視図である。図６は、実施の形態２の梱包装置によって被梱包物１が梱包された状態を示す斜視図である。図７は、実施の形態２の外箱２ａの上部の拡大図である。図８は、実施の形態２の梱包装置によって被梱包物１が梱包された状態を示す断面図である。図５から図８は、それぞれ、実施の形態１における図１から図４に対応する図である。
【００３３】
本実施の形態の梱包装置の基本的な構成は、実施の形態１と同様である。以下、実施の形態１との相違点について説明する。
【００３４】
本実施の形態の梱包装置は、図５から図８に示すように、外箱２ａを備える。バンド５は、外箱２ａの側面からカバー４の上面にかけて、当該外箱２ａの上縁の一部を跨いで掛けられている。外箱２の上縁の上記の一部には、切り込み７ａが形成されている。
【００３５】
切り込み７ａは、内側へ折り込まれる折り曲げ片７ｂを形成している。折り曲げ片７ｂは、実施の形態１における切り込み７と同様の形状に形成される。折り曲げ片７ｂは、一例として、楔形に形成される。楔形の折り曲げ片７ｂを形成する切り込み７ａは、外箱２ａの上縁に向かって広がるハの字型である。なお、折り曲げ片７ｂの形状は、実施の形態１の切り込み７と同様、任意の形状でよい。すなわち、切り込み７ａの形状も、任意の形状でよい。折り曲げ片７ｂの形状は、例えば、三角形、正方形、長方形、五角形以上の多角形等であってもよい。折り曲げ片７ｂの形状は、半円形状などの、曲線からなる形状であってもよい。折り曲げ片７ｂの形状は、直線と曲線との組み合わせからなる形状であってもよい。
【００３６】
本実施の形態では、バンド５が掛けられると、ハの字型の切り込み７ａの下端を繋ぐ折り曲げ罫線を支点にして、折り曲げ片７ｂが内側に折り込まれる。図８に示すように、折り曲げ片の表面は、バンド５と接触している。本実施の形態であれば、梱包装置が外部から荷重を受けた際にバンド５によって折り曲げ片７ｂが押される。折り曲げ片７ｂが動くことによって、バンド５が外箱２を損傷または変形させてしまう領域がより少なくなる。本実施の形態であれば、実施の形態１と同様、バンドによって結束される梱包装置において、外部から荷重を受けた際における損傷および変形がより少ない梱包装置を得ることができる。
【００３７】
実施の形態３．
次に、実施の形態３について説明する。実施の形態１または実施の形態２と同一または相当する部分については、同じ符号を付し、また、説明を簡略化および省略する。図９は、実施の形態３の梱包装置および被梱包物１の分解斜視図である。図１０は、実施の形態３の梱包装置によって被梱包物１が梱包された状態を示す斜視図である。
【００３８】
本実施の形態の梱包装置の基本的な構成は、実施の形態２と同様である。図９および図１０は、それぞれ、図５および図６に対応する図である。本実施の形態の梱包装置は、実施の形態２における緩衝材３の代わりに、緩衝材３ａを備える。図１１は、実施の形態３の緩衝材３ａの拡大図である。
【００３９】
緩衝材３ａの上側の角は、図１１に示すように面取りされている。緩衝材３ａには、面取りによって斜面３ｂが形成されている。この斜面３ｂには、折り曲げ片７ｂが接触する。斜面３ｂは、例えば、折り曲げ片７ｂを固定可能な形状に形成される。本実施の形態であれば、バンド５から折り曲げ片７ｂが受ける力が、斜面３ｂによって支持される。これにより、外箱２ａの上縁の損傷および変形がより効果的に抑制される。
【００４０】
なお、本実施の形態における緩衝材３ａは、実施の形態１の梱包装置に備えられてもよい。例えば、緩衝材３ａの斜面３ｂにバンド５が接触してもよい。本例において緩衝材３ａがバンド５から受ける荷重によって変形する量は、緩衝材３の角にバンド５が接触している場合に比べて、小さくなる。
【００４１】
なお、上記の各実施の形態における外箱２および外箱２ａは、被梱包物１の前後左右を囲う上下に沿った胴枠の一例である。被梱包物１の前後左右を囲う上下に沿った胴枠は、外箱２および外箱２ａのような、筒状の部材に限られない。胴枠は、例えば、複数の部材から形成されていてもよい。胴枠は、例えば、前後または左右に分割された２つのコの字型の部材から形成されていてもよい。分割された２つのコの字型の部材は、バンド５によって結束されることで、被梱包物１の前後左右を囲う。また、胴枠は、３つ以上の部材から形成されていてもよい。胴枠は、複数の分割された状態の部材によって形成されていてもよく、テープおよび糊等によって一体的に接着された複数の部材から形成されていてもよい。
【符号の説明】
【００４２】
１  被梱包物、  ２  外箱、  ２ａ  外箱、  ３  緩衝材、  ３ａ  緩衝材、  ３ｂ  斜面、  ４  カバー、  ５  バンド、  ６  支持部、  ７  切り込み、  ７ａ  切り込み、  ７ｂ  折り曲げ片
【図１】
2019156412.tif 000003
【図２】
2019156412.tif 000004
【図３】
2019156412.tif 000005
【図４】
2019156412.tif 000006
【図５】
2019156412.tif 000007
【図６】
2019156412.tif 000008
【図７】
2019156412.tif 000009
【図８】
2019156412.tif 000010
【図９】
2019156412.tif 000011
【図１０】
2019156412.tif 000012
【図１１】
2019156412.tif 000013